(57)【特許請求の範囲】
【請求項１】
エレベータのかごまたは均合いおもりに設けられ、上記かごの下降速度の超過で引き上げられるリフトロッドと、ガイドレールの両側に互いに対向して配設され、上記リフトロッドとともに上昇する一対のくさびと、その各くさびの背面にローラを介して対設され、上下端板に係合された一対の案内板と、両案内板の外側面を押圧し、その案内板を互いに対向方向に付勢するＵ字型のばね部材とを有するエレベータの非常停止装置において、
上記Ｕ字型のばね部材を、平板を材料としてＵ字形に切断加工するとともにその板厚方向に上下に積層して組み合わせた複数枚のＵ字形の平板ばねによって構成したことを特徴とするエレベータの非常停止装置。
【請求項２】
上記Ｕ字形の平板ばねは、曲がり部の幅が広く先端側腕部の幅が狭く形成されていることを特徴とする、請求項１記載のエレベータの非常停止装置。
【請求項３】
上記複数枚のＵ字形の平板ばねが、その平板ばねを貫通する連結杆によって固定されていることを特徴とする、請求項１または２記載のエレベータ非常停止装置。
【請求項４】
上記Ｕ字形の平板ばねと案内板との間に押圧具を介装し、
上記Ｕ字形の平板ばねには、その開口端部対向面に上下方向に延びる半円柱状の凹部を形成するとともに、
上記押圧具には、上記Ｕ字形の平板ばねが嵌挿される溝が形成されており、
その溝の溝底が上記Ｕ字形の平板ばねの半円柱状の凹部と係合する凸曲面としてあることを特徴とする、請求項１または２記載のエレベータ非常停止装置。
【請求項５】
上記複数枚のＵ字形の平板ばねの間には間隔部材が介装されていることを特徴とする、請求項１乃至４のいずれかに記載のエレベータ非常停止装置。
【請求項６】
上記Ｕ字形の平板ばねは支持具によって下側端板に支持されていることを特徴とする、請求項１乃至５のいずれかに記載のエレベータ非常停止装置。
【請求項７】
上記Ｕ字型のばね部材は、互いに形状寸法が異なる上記複数枚のＵ字形の平板ばねをその板厚方向に積層したものであることを特徴とする、請求項１乃至６のいずれかに記載のエレベータ非常停止装置。
【請求項８】
上記複数枚のＵ字形の平板ばねは、上記くさびと上記ガイドレールとの間に印加される押圧力が上下方向に均一となるようにその形状がそれぞれ構成されていることを特徴とする請求項７に記載したエレベータ非常停止装置。
【請求項９】
上記Ｕ字形の平板ばねは、その上面を含む平面内においてその両端同士が互いに離間する変形を生じるように構成されていることを特徴とする、請求項１に記載のエレベータの非常停止装置。
【発明の詳細な説明】
【０００１】
【発明の属する技術分野】
本発明は、エレベータの非常停止装置に関する。
【０００２】
【従来の技術】
エレベータでは、安全装置として、建築基準法施行令において、下降するかごの速度が規定された値を超えると、かごの下降を自動的に制止する装置を設けなければならないことが規定されている。
【０００３】
図９は、非常停止装置が設けられた一般的なエレベータの概略構成を示す図であり、エレベータのかご１は主ロープ２で吊られ巻上機３によって昇降路内を昇降するとともに、その昇降路に設けられたガイドレール４によってその昇降が案内される。上記かご１または主ロープ２の他端に設けられた均合いおもり５には非常停止装置６が装着されており（図９にはかごにだけ非常停止装置が装着されている例を示す）、主ロープ２が切断したり巻上機３の回転速度が異常になりエレベータのかごの速度が定格速度以上になった場合に、ガイドレール４を把み、かご１を機械的に停止させるように構成されている。すなわち、エレベータの過速度を機械室に設けられた調速機７が検知すると、この調速機７に組み込まれているロープつかみ部が作動し、調速機７に巻装されているガバナロープ８が把持される。このようにしてガバナロープ８が把持されると、かご１に装着されているリンク機構９を介して、左右のリフトロッド１０が上動し、これにより非常停止装置６が作動される。
【０００４】
ところで、この非常停止装置には、低速で小形のかごに用いられる早利き非常停止装置と、高速のかご用に用いられる次第利き非常停止装置とがある。
【０００５】
図１０は、従来の次第利き非常停止装置の一例を示す正面図、図１１は図１０のＢ−Ｂ断面図である。
【０００６】
図１０および図１１において、この次第利き非常停止装置は、かご１の下梁に上面が固定され図示しない平面図ではほぼ正方形の上部端板１１と、この上部端板１１とほぼ同形で板厚が僅かに薄い下部端板１２と、これらの上部端板１１と下部端板１２の両側の間に縦設されて、これらの上部端板１１と下部端板１２に上下が溶接される山形鋼製の図示しない一対の柱とで骨格が構成されている。
【０００７】
これらの上部端板１１と下部端板１２の前面中央部には、鎖線で示すガイドレール４の頭部が遊嵌するＵ字状の溝１１ａ，１２ａが形成されている。
【０００８】
上部端板１１の前面両側には、段部１１ｂが形成され左右方向に延びる切欠部１１ｃが形成されている。一方下部端板１２の前部両側の上面には、略凸字状のガイド受け１３が固定されている。このガイド受け１３の外側上面には、水平な段部１３ａが前述した上部端板１１の段部１１ｂと対称的に形成されている。
【０００９】
これらの段部１１ｂ，１３ａには、外側中間部に切欠き１４ａが形成され略コ字状に形成された一対の案内板１４の外側上下端に突設された係止部１４ｂ，１４ｃが外側から挿入され、これらの案内板１４の対向面は、下側の間隔が広くなって傾斜している。
【００１０】
左右の案内板１４の外側に設けられた切欠き１４ａには、図１１に示すようにＵ字状に形成された厚板（約１０ｍｍ）製のばね部材１５の両先端部が遊嵌されている。
【００１１】
このばね部材１５の両端には、一対の押圧具１６が内側からあらかじめ挿入され、この押圧具１６頭部の半球部分の大部分は、案内板１４の切欠き１４ａの上下に形成された半球状の凹部に嵌合し、ばね部材１５の復帰力によって凹部に押圧され、ばね部材１５はその姿勢を維持している。
【００１２】
符号１０は、前述したリフトロッドを示し、帯板状の鋼材から製作され、このリフトロッド１０の下端には、ピンを介して略台形状のくさび１７の下端が連結されている。このくさび１７の前後面の外面側には、斜面と平行な案内溝が図１１に示すように形成されている。同じく、先述した各案内板の対向側の前後面にも、図１１で示す案内溝が形成されている。
【００１３】
この案内板１４に形成された案内溝と前述したくさび１７に形成された案内溝には、図１１に示すように略樋状に形成されたローラ保持板１８の両側の曲げ部が嵌合している。
【００１４】
前後のローラ保持板１８の中心線上に形成された５カ所の軸穴には、ローラ１９の両端に突設された軸部が挿入されている。したがって、ローラ保持板１８は、案内板１４に形成された溝に片側が嵌合した曲げ部によって、ローラ１９とともに上方に移動自由となっている。
【００１５】
なお、この非常停止装置は、かごの他側にも設けられ、更につり合いおもりにも取り付けられている。
【００１６】
このように構成された非常停止装置においては、かごの下降速度が規定された値を超えると、ガバナロープが調速機のつかみ部で把持されてリフトロッド１０がかごより先に停止し、かごおよび案内板１４に対して相対的に上昇することで、このリフトロッド１０の下端に係止されたくさび１７がかごに対して上昇する。
【００１７】
すると、一対のくさび１７の対向面がガイドレール４の頭部の側面に押圧されて、ガイドレール４を両側から挟み、このガイドレール４とくさび１７の対向面との間の摩擦によってかごの下降は停止される。
【００１８】
くさび１７とともに上昇するローラ保持板１８に挿入されたローラ１９は、くさび１７と案内板１４との間に発生する摩擦を減らし、くさび１７の上昇運動を円滑にし、ガイドレール４への押圧力の低下を防止する。
【００１９】
図１２は、前述した次第利き非常停止装置の他の一例を示す平面図、図１３は、図１２の前面図で、図１０に対応し、くさびを押圧するばねの形状が異なる場合を示す。
【００２０】
図１２および図１３において、前述した図１０および図１１で示した次第利き非常停止装置と大きく異なるところは、後部にコイルばねを横設し、このコイルばねを後端で押圧し中間部の前方が軸支されたレバーによって、くさびによるガイドレールの押圧力の反力をコイルばねで受けることで、下降するかごの急停止に伴う乗客への衝撃を減少するようにしたものである。
【００２１】
この次第利き非常停止装置は、高速（４５ｍ／ｍｉｎを越える）エレベータでは、必ず採用しなければならないことが前述した法令で規定されている。
【００２２】
すなわち、図１２および図１３において、略凹字状に鋳造品で製造された取り付け台２０の下面に軸受座２１が設けられ、その軸受座２１に貫設された支軸で、レバー２２の前端近傍部が軸支されている。そして、そのレバー２２の前端の対向面に案内板１４の背面側が当接している。レバー２２の後端には、ピン２３を介してクレビス形のばね座２４の端部が連結されている。
【００２３】
このばね座２４には、図示しない側面図における略正方形の座２４ａの各四隅に対して、両ねじボルト２５が貫挿され、左右のばね座２４の座２４ａの間に両端が平面にグラインダ加工されたコイルばね２６が挿入され、このコイルばね２６は、両ねじボルト２５の両端から螺合されたダブルナットによって、所定の取り付け圧力で圧縮されている。
【００２４】
なお、左右のレバー２２の中間部には、両ねじボルト２７が貫挿され、この両ねじボルト２７の両端から螺合されたダブルナットによって締め付けられ、この両ねじボルト２７の中間部は、取り付け台２０の後部から図１２に示すように突き出た一対の支持部を貫通している。
【００２５】
【発明が解決しようとする課題】
非常停止装置の減速度は、動作時に乗客やかご、つり合いおもりなどに損傷を与えない様に規定され、例えば、日本工業規格（ＪＩＳ）では、動作時の制動距離において平均減速度０．３５Ｇ〜１．０Ｇとなる様に決められている。ところが、エレベータのかごは意匠上の要求により、例えば鋼板に塗装した部材を使用したり、大理石を貼るなどしたりし、かごの重量が仕様により大幅に増減するのが普通である。また、積載荷重もかご室の大きさや、用途により様々に増減するのが普通である。このため、非常停止装置が制動しなければならない重量は、非常に幅がある。これを従来のばね部材により調整しようとすれば、ばね力の違いにより非常に多種類のばね部材を用意しなければならなくなり、大きなストック品の置き場を必要とし、多品種少量生産となることから、段取り作業が多発し、経済性が悪い。また、客先の急な仕様変更により、かご重量が変更された場合には、装置の改造に多大な労力が必要となり、困難である。
【００２６】
また、制動する質量が大きい為に、大きなばね力を必要とする場合、図１０および図１１で示した次第利き非常停止装置においては、ばね部材１５の板厚が厚くなるために、材料とするばね鋼平板が日本工業規格（ＪＩＳ）で規定されていなく、入手性に劣る場合がある。
【００２７】
また、材料を入手しても所定の形状に加工することが困難となる。その理由は、このばね部材１５を曲げ成形する場合には、プレス機で行うが、板厚の大きな材料の曲げ加工は非常に大きな力のプレス機を必要とするため、特別に大きなプレス機が必要となり、経済性が悪くなる。また、曲げ加工ができたとしても大形の型を必要とするため製作費用が高価になる。さらに、材料が厚いので加工時の材料の加熱や、取り扱いが困難となり、大きな労力が必要になるばかりか、ばね部材１５は、大形となり取り扱いが困難となる。
【００２８】
また、プレスによる曲げ成型では、このばね部材１５を曲げ型からはずすとスプリングバックで弾性復帰するので、所定の精度の製品を得るためには曲げ幅の測定とプレス型への着脱を何度も繰り返すこととなり、製作時間が長くなる。
【００２９】
また、図１２および図１３で示した次第利き非常停止装置においては、大きなばね力のばねを用いると、レバー２２が変形し所定の力でガイドレールを加圧できなくなる。また、この非常停止装置を所定のばね力に適応させると、レバー２２は大形となり取付空間が増える。すると、限られた昇降路の空間に、組み込むことができなくなるだけでなく、かごの重量も増え、不経済である。さらに、この非常停止装置を構成している部品点数が多いため、製造コストが大きくなり、組立、調整に多くの労力が必要となる。
【００３０】
本発明は、このような点に鑑み、外形を大きくすることなく、ばね部材の形成を容易にでき、所定の制動特性を容易に得ることができ、ばね力を容易に調節することのできるエレベータの非常停止装置を提供することを目的とする。
【００３１】
【課題を解決するための手段】
請求項１記載の発明は、エレベータのかごまたは均合いおもりに設けられ、上記かごの下降速度の超過で引き上げられるリフトロッドと、ガイドレールの両側に互いに対向して配設され、上記リフトロッドとともに上昇する一対のくさびと、その各くさびの背面にローラを介して対設され、上下端板に係合された一対の案内板と、両案内板の外側面を押圧し、その案内板を互いに対向方向に付勢するＵ字型のばね部材とを有するエレベータの非常停止装置において、
上記Ｕ字型のばね部材を、平板を材料としてＵ字形に切断加工するとともにその板厚方向に上下に積層して組み合わせた複数枚のＵ字形の平板ばねによって構成したことを特徴とする。
【００３２】
請求項２記載の発明は、請求項１記載の発明において、上記Ｕ字形の平板ばねは、曲がり部の幅が広く先端側腕部の幅が狭く形成されていることを特徴とする。
【００３３】
また、請求項３記載の発明は、請求項１または２記載の発明において、上記複数枚のＵ字形の平板ばねが、その平板ばねを貫通する連結杆によって固定されていることを特徴とする。
【００３４】
さらに請求項４記載の発明は、請求項１または２記載の発明において、上記Ｕ字形の平板ばねと案内板との間に押圧具を介装し、上記Ｕ字形の平板ばねには、その開口端部対向面に上下方向に延びる半円柱状の凹部を形成するとともに、上記押圧具には、上記Ｕ字形の平板ばねが嵌挿される溝が形成されており、その溝の溝底が上記Ｕ字形の平板ばねの半円柱状の凹部と係合する凸曲面としてあることを特徴とする。
【００３５】
請求項５記載の発明は、請求項１乃至４のいずれかに記載の発明において、上記複数枚のＵ字形の平板ばねの間には間隔部材が介装されていることを特徴とする。
【００３６】
また、請求項６記載の発明は、請求項１乃至５のいずれかに記載の発明において、上記Ｕ字形の平板ばねは支持具によって下側端板に支持されていることを特徴とする。
【００３７】
さらに、請求項７記載の発明は、請求項１乃至６のいずれかに記載の発明において、  上記Ｕ字型のばね部材は、互いに形状寸法が異なる上記複数枚のＵ字形の平板ばねをその板厚方向に積層したものであることを特徴とする。
【００３８】
また、請求項８記載の発明は、請求項７に記載の発明において、上記複数枚のＵ字形の平板ばねは、上記くさびと上記ガイドレールとの間に印加される押圧力が上下方向に均一となるようにその形状がそれぞれ構成されていることを特徴とする。
【００３９】
また、請求項９記載の発明は、請求項１に記載の発明において、上記Ｕ字形の平板ばねが、その上面を含む平面内においてその両端同士が互いに離間する変形を生じるように構成されていることを特徴とする、請求項１に記載のエレベータの非常停止装置。
【００４０】
図１および図２において、従来の技術で示した図１０および図１１と異なるところは、ばね部材を複数枚の平板ばねを積層状態に組合せて構成したことで、他は従来の技術で示した図１０および図１１と同一である。
【００４１】
すなわち、図１および図２に示したエレベータの非常停止装置において平板ばねは、図１０および図１１で採用した平板をＵ字状に曲げたばね部材１５の代わりに、平板を材料として切断加工により所定の形状とした平板ばね３０を積層方向に間隔をおいて配置することで構成されている。
【００４２】
このように、複数枚の平板ばね３０を積層状態に組合せたばねが組み込まれたエレベータの非常停止装置においては、平板ばね３０の厚さが薄くなったため、これらの平板ばねを曲げ成型による製作ではなく、安定した精度が得られるプレスによる打ち抜き加工で作成することができ、製作が容易になるとともに、ばね形状にばらつきがなくなり、さらに安定したばね特性を得ることができる。また、材料が厚く、切削加工によりばねを製作した場合においても、従来不可能であった大形のばねを新たな設備投資を必要とせず、一般的な加工機により製作することができる。
【００４３】
また、ばね力を調節する場合には、組合せる平板ばね３０の枚数およびその厚さを任意に変えることで、幅広いばね力の調節が可能であり、所定のばね定数を容易に得ることができるだけでなく、ばね力の異なる多種のばねが容易に作成できる。
【００４４】
図３は、本発明のエレベータの非常停止装置の平板ばね３０の形状を示す図で、その平板ばねは板厚が薄く、腕部先端の幅ｗが狭く外側が傾斜しながら太くなり、曲がり部での幅Ｗが広くなっており、力の作用する付近は細く、柔軟であり、大きな応力が作用する曲がり部は太くなっている。
【００４５】
一方、従来の板ばねは、図示しないが幅が一様であり、小さな応力が作用する腕部の幅は、大きな応力が作用する曲がり部と同じ幅である。このため、従来の板ばねは、小さな応力しか作用しない腕部の幅は、材料強度上必要な幅より広くなり、曲がり部で大きな応力を受け止める形状となり、ばね力に比べ重量が大きい。
【００４６】
しかし、本発明の平板ばねでは、曲がり部の曲率や腕部の傾斜などを変え、応力を分散させるなど、最適なばね形状を取ることで、従来の板ばねよりも小さくして、大きなばね力を出せるばねが得られる。また、ばねの特性の設定の自由度が高くなり、外形を大きくすることなく、所定の制動特性を容易に得ることができるエレベータの非常停止装置が得られる。
【００４７】
次に、図４は、本発明のエレベータの非常停止装置において他の実施形態を示す図で、複数枚の平板ばね３０Ａ，３０Ｂは、この平板ばね３０Ａ，３０Ｂに設けられた穴３１を貫通する連結杆３２により互いに固定されている。
【００４８】
この様に、複数枚の平板ばね３０Ａ，３０Ｂの重ね合わせで単一のばねを構成すると、ばね形状および、ばね特性の自由度が高くなるとともに、その変更が容易となる。すなわち、平板ばねを薄板材よりプレス加工により製作することにより、プレスの型を変更するだけで、断面形状の異なるばねを容易に作成でき、これらを重ね合わせることで、所要のばね特性を容易に得ることができる。また、厚さの異なる平板ばねを重ね合わせることにより、ばね力の調整を容易に行うことができるが、更に、この平板ばね３０Ａ，３０Ｂに設けられた穴３１を貫通する連結杆３２により、平板ばね３０Ａ，３０Ｂを互いに固定することで、この複数枚の平板ばね３０Ａ，３０Ｂは、これらを重ね合わせることで構成された単体の板ばねとして扱うことがてき、組立時の取付作業が容易となる。
【００４９】
次に、図５は、本発明のエレベータの非常停止装置における他の実施形態を示す図で、図６は図５のＡ−Ａ断面図である。
【００５０】
従来の非常停止装置では、図１０の様にばね部材に設けた穴に半球状の頭部を持つ押圧具１６を挿入し、この押圧具１６を案内板１４に形成された半球状の凹部と片側２箇所で嵌合させているが、本発明の平板ばねにおいては、板厚が薄いため平板ばねの押圧部に穴加工を行うことは、強度を確保できなくなったり、平板ばねの板厚によっては穴加工が困難である。また、平板ばねを複数枚使用するため、加工工数および押圧具等の部品数が増加し、コストが高くなる。
【００５１】
そこで、本発明においては、図５および図６に示すように、Ｕ字状の平板ばね３０の開口端部における対向面に、上下方向（平板ばねの厚さ方向）に延びる半円柱状の凹部３３が形成されている。一方、案内板１４の外側面には押圧具３４が接合されている。この押圧具３４の外側面には、各平板ばね３０を係合する複数の横方向に延びる溝３５が形成されており、その溝３５の溝底３６が、前記平板ばね３０の半円柱状の凹部３３と係合する凸曲面としてある。
【００５２】
しかして、押圧具３４の外側面に形成されている溝３５に平板ばね３０を嵌挿し、平板ばね３０の凹部３３と押圧具３４における溝底３６の凸曲面とを互いに係合することによって、押圧具３４と平板ばね３０が連結されている。
【００５３】
しかして、この実施の形態においては、押圧部の穴加工の省略、部品数の削減ができ、結果として押圧部の構造を簡略化できる。また、平板ばね３０と案内板１４が確実に連結され、本発明のエレベータの非常停止装置が作動したときに生じる平板ばね３０の運動が無理なく案内板１４に伝えられ、安定した制動特性を得ることができる。さらに、この横方向の溝３５を持つ押圧具３４によって、平板ばね３０を前述の平板ばねの円柱状の凹部３３の上下方向から支持する事により、隣り合う平板ばねを適度な間隔で保持できるとともに、各平板ばねの運動を干渉することなく案内板１４に伝えることができる。また、円柱状の凹部で嵌合部の平板ばねの動きを拘束することで、平板ばね３０がその自重により傾いたり、下に滑り降りるといったことを防ぐことができる。これらにより要求された制動特性を確実に得ることができ、結果として、本発明のエレベータの非常停止装置の信頼性の向上につながる。
【００５４】
さらに、従来の非常停止装置では、ばね部材と案内板が片側２点で嵌合しているため、押圧具の取付精度や加工精度が悪いと、ばね部材の取付け性が悪くなるとともに嵌合部の結合軸がずれ、ばね力を効率よく伝えることができなくなるが、本発明による嵌合機構では押圧具３４と平板ばね３０の押圧部が円柱状の曲面で接触しているため、非常停止装置の動作に伴い自動的に結合軸が合致し、これによりばね力が無理なく案内板１４に伝えられる。また、この自動的に結合軸が合致する作用のため、平板ばね３０を取付ける際の調整作業が簡略化できる。
【００５５】
次に、図７は、本発明のエレベータの非常停止装置においてさらに他の実施形態を示す図であり、特に図２と異なるところは、重ね合わされた複数枚の平板ばね３０の間に、間隔具３７が介装されており、下部端板１２に取り付けられた支持具３８により、この重ね合わされた複数枚の平板ばね３０が支持されている。
【００５６】
図７の様に、平板ばね３０の間に間隔具３７を挟み込むことにより、各平板ばね３０の間に常に間隙を保て、各平板ばね３０の運動が干渉することなく、この平板ばね３０を保持する事ができる。これにより、平板ばねの自動調心機能が効率よく作用する範囲内に平板ばねを保持する事ができ、さらに間隔具３７に平滑性を持たせることで、間隔具３７により間隙が保たれた平板ばね３０の運動を滑らかに支持することができ、ばね力を効率よく案内板１４に伝える事ができ、結果として、非常停止装置の信頼性が向上する。
【００５７】
また、この平板ばね３０を下側端板１２に取り付けられた支持具３８で支持することにより、平板ばね３０の不要な運動を拘束でき、平板ばね３０が押圧具３４の嵌合部において、無理な力が作用することなく、前述の積層方向に組合わされた平板ばねを支持することができ、平板ばね３０と押圧具３４の結合がより確かなものとなる。さらに、この下側端板１２に取り付けられた支持具３８の長さを変えることにより、くさびが平板ばねにより押圧される位置を容易に変える事ができ、結果として、くさびに作用するばね力の分布が変化する。したがって、平板ばね３０がくさびを押圧する位置を変えることにより、くさびに作用するばね力の分布を最適化することができ、くさびとガイドレールとの間に印加される押圧力を上下ほぼ均一にすることもできる。これにより、偏荷重によるくさびの摺動面の偏摩耗を防ぐことができ、制動特性を向上させることができると同時に、この偏摩耗に伴う保守・点検の頻度の増加を防ぐことができる。
【００５８】
また、本発明による平板ばねは、垂直方向の寸法が小さいことを特徴とするため、曲げ強度が低下し、自重によって平板ばね３０自身が下側に撓んだり、非常停止装置が動作し平板ばね３０が弾性変形した際などに、平板ばねがねじれ、隣り合う平板ばねと干渉する可能性が考えられる。この様に隣り合う平板ばねが干渉することにより、平板ばねに上下方向より無理な力が作用し、ばね力を効率よく案内板に伝える事ができなくなるばかりか、平板ばね３０が脱落する危険性も生じる。さらに、非常停止装置作動時には非常に大きな力や揺れが発生するため、この力や揺れにより平板ばね３０に不要な移動や変形が生じ、隣り合う平板ばねに与える干渉力が大きくなり、非常停止装置作動時にもかかわらず安定したばね力を提供できなくなり、所要の制動特性が得られない可能性も考えられる。そのため、間隔具３７に緩衝機能を持たせ、上記の様な各平板ばねの運動を間隔具３７で吸収することにより、隣り合う平板ばねに与える干渉力や、平板ばね３０の嵌合部に作用する反力が低減し、非常停止装置作動時においてもばね力を確実に案内板１４に伝えることができる。さらに、支持具３８と組み合わせ、平板ばね３０の下向きの動きを拘束する事により、上記の効果はより確かなものとなり、本発明による非常停止装置の信頼性が更に向上する。
【００５９】
この様にして構成されたばねを用いたエレベータの非常停止装置は、製作、調整が容易になるばかりか、制動特性をくさびの材料やかごの仕様や重量、また、定格速度などに応じて最適に調整でき、かご停止時の衝撃を減らすことができるとともに、確実な制動特性が得られる。
【００６０】
次に、図８は、本発明のエレベータの非常停止装置におけるさらに他の実施形態を示す図であって、第１の実施形態で示した図１と異なるところは、断面形状寸法の異なる複数枚の平板ばね３０ａ，３０ｂ，３０ｃ，３０ｄ，３０ｅを重ね合わせた点である。
【００６１】
この様に断面形状寸法の異なる平板ばねを組み合わせることにより、各平板ばねの押圧部に作用するばね力を容易に変えることができ、くさび１７が上方に引き上げられた状態、すなわち、くさび１７とガイドレール４との間の圧力が最大となる状態において、制動面に作用する押圧力を任意に変更することができる。これにより、くさび１７とガイドレール４の間に印加される押圧力を上下ほぼ均一にすることができ、偏荷重によるくさびの摺動面の偏摩耗を防げ、この偏摩耗に伴う保守・点検の頻度の増加を防ぐこともできる。
【００６２】
さらに、この様にして構成されたばねを用いたエレベータの非常停止装置は、製作、調整が容易になるばかりか、押圧力に起因する制動特性をくさびの材料やかごの仕様、重量、また、定格速度などに応じて、最適に調整でき、かご停止時の衝撃を減らすことができる。
【００６３】
なお、上記実施形態では、かごに取り付けられた非常停止装置の例で説明したが、つり合いおもりに取り付けられた場合にも、全く同様に適用することができる。
【００６４】
【発明の効果】
以上説明したように、本発明においては、Ｕ字型のばね部材を複数枚の平板ばねを積層状態に組合せて構成したので、曲げ加工を不要として、製作を容易にすると共に、ばね特性の設定の自由度を上げたので、外形を大きくすることなく、所定の制動特性を容易に得ることのできるエレベータの非常停止装置を得ることができる。
【００６５】
また、平板ばねの曲がり部の幅を広くし腕部の幅を狭くした場合には、ばね特性の設定の自由度を上げ外形を増すことなく、所定のばね特性を容易に得ることができる。
【００６６】
また、平板ばねを貫通する連結杆により互いに固定した場合には、ばねの取り扱いが容易になると共に、ばね特性の設定の自由度を更に上げたので、外形を大きくすることなく、所定の制動特性を容易に得ることができる。
【００６７】
さらに、平板ばねの開口端部の対向面に円柱状の凹部を設け、その平板ばねの開口端に凸曲面を有する溝を有する押圧具を嵌合させたことで、構造が簡単で組立が容易となったので、信頼性が高く、安定した制動特性を得ることができる。
【００６８】
また、平板ばねの間に間隔具を介在させ、或は平板ばねを下側端板から支持具により支持することで、ばねの動きを無理なく支持できると共に、ばね力を効率よく伝える事ができるので、信頼性が高く、安定した制動特性を得ることができる。
【００６９】
さらに、Ｕ字型のばね部材を外形寸法の異なる複数枚の平板ばねの組み合わせにより構成することで、板ばねを薄くして、製作を容易にすると共に、制動面に作用する押圧力を任意に変更することができる。
【図面の簡単な説明】
【図１】本発明のエレベータの非常停止装置の一つの実施形態を示す正面図。
【図２】図１の右側面図。
【図３】本発明のエレベータの非常停止装置の平板ばねの平面図。
【図４】本発明のエレベータの非常停止装置の他の実施形態を示す一部断面側面図。
【図５】本発明のエレベータの非常停止装置のさらに他の実施形態を示す正面図。
【図６】図８のＡ−Ａ線に沿う断面図。
【図７】本発明のエレベータの非常停止装置の他の実施形態を示す右側面図。
【図８】本発明のエレベータの非常停止装置のさらに他の実施形態を示す正面図。
【図９】非常停止装置が設けられた一般的なエレベータの概略構成図。
【図１０】従来の次第利き形のエレベータの非常停止装置の一例を示す正面図。
【図１１】図１０のＢ−Ｂ線に沿う断面図。
【図１２】従来の次第利き形のエレベータの非常停止装置の図１０と異なる一例を示す平面図。
【図１３】図１２の正面図。
【符号の説明】
１  かご
４  ガイドレール
６  非常停止装置
１０  リフトロッド
１１  上部端板
１２  下部端板
１４  案内板
１５  ばね部材
１６，３４  押圧具
１７  くさび
１８  ローラ保持板
１９  ローラ
２２  レバー
３０  平板ばね
３２  連結杆
３３  凹部
３５  溝
【図１】
0004285834.tif 000002
【図２】
0004285834.tif 000003
【図３】
0004285834.tif 000004
【図４】
0004285834.tif 000005
【図５】
0004285834.tif 000006
【図６】
0004285834.tif 000007
【図７】
0004285834.tif 000008
【図８】
0004285834.tif 000009
【図９】
0004285834.tif 000010
【図１０】
0004285834.tif 000011
【図１１】
0004285834.tif 000012
【図１２】
0004285834.tif 000013
【図１３】
0004285834.tif 000014